(57)【要約】【課題】  ＩＣカードリーダライタの部品点数を削減させてシンプルにさせる。【解決手段】  底部（２０）および側壁（２１）を有するハウジング（１２）と、ハウジングの底部と並行して配置され、ハウジングに挿入されたＩＣカード（１１）の端部（１７）によって押されてＩＣカードの下降、接触位置までハウジング内をスライドして移動するスライドプレート（１３）と、ハウジングに回転可能に取り付けられたロックレバー（１８）と、挿入されたＩＣカードを排出する際に使用されるイジェクト部材（７０）とを有するＩＣカードリーダライタであって、ロックレバーは、下降、接触位置において、スライドプレートをロックする第１のロック部分（６０）と、挿入されたＩＣカードをロックする第２のロック部分（３８）とを有する。【選択図】      図１
2007065986.tif 000002
【特許請求の範囲】
【請求項１】
底部および側壁を有するハウジングと、
前記ハウジングの底部と並行して配置され、前記ハウジングに挿入されたＩＣカードの端部によって押されて前記ＩＣカードの下降、接触位置まで前記ハウジング内をスライドして移動するスライドプレートと、
前記ハウジングに回転可能に取り付けられたロックレバーと、
前記挿入されたＩＣカードを排出する際に使用されるイジェクト部材と、
を有するＩＣカードリーダライタであって、
前記ロックレバーは、前記下降、接触位置において、前記スライドプレートをロックする第１のロック部分と、前記挿入されたＩＣカードをロックする第２のロック部分と、
前記スライドプレートをカード排出方向に付勢させるスプリング部材と、
前記ロックレバーを回転方向に付勢させるスプリング部材又はイジェクト部材とロックレバーを係合させることにより共用可能となるイジェクト部材のスプリング部材を有し、
前記挿入されたＩＣカードを排出する際には、前記イジェクト部材により前記ロックレバーを回転させることにより、第１のロック部分および第２のロック部分の各ロックを解除することを特徴とするＩＣカードリーダライタ。
【請求項２】
前記ロックレバーは前記挿入されたＩＣカードを排出する際に前記イジェクト部材により付勢されるロック解除部分を有することを特徴とする請求項１記載のＩＣカードリーダライタ。
【請求項３】
前記第１のロック部分は、前記スライドプレートが移動する過程においては、前記スライドプレートの側部に配置されたロックレバー回転止め部を形成するフランジによってその回転が阻止されていることを特徴とする請求項１記載のＩＣカードリーダライタ。
【請求項４】
前記第１のロック部分は、段差部分を形成する切込み部を有し、ロック時においては前記フランジの終端部が前記段差部分と当接することにより、前記スライドプレートの排出方向への移動が阻止されることを特徴とする請求項１記載のＩＣカードリーダライタ。
【請求項５】
前記第２のロック部分は、前記ロックレバーの端部に形成され、挿入されたＩＣカードの排出を阻止するカードロックフック部を有することを特徴とする請求項１記載のＩＣカードリーダライタ。
【請求項６】
前記イジェクト部材は駆動力を提供するソレノイドを有することを特徴とする請求項１記載のＩＣカードリーダライタ。
【請求項７】
前記ソレノイドはパルス電流により駆動されることを特徴とする請求項６記載のＩＣカードリーダライタ。
【請求項８】
前記ハウジングの側壁には上下２段の段差部を有するカム部が形成されており、
前記スライドプレートの側部に形成されたフックは、前記ＩＣカードが挿入されると最初前記カム部の上方段差部に沿って移動し、次に下方段部に沿って移動することを特徴とする請求項１記載のＩＣカードリーダライタ。
【発明の詳細な説明】
【技術分野】
【０００１】
本発明は、ＩＣカードリーダライタインターロック機構に関する。
【背景技術】
【０００２】
ＩＣカードリーダライタに挿入されるＩＣカードのロック及びイジェクタ機構は、多数の部品によって構成されているのが現状である。従来から、例えば挿入されたＩＣカードを固定するためのカードロックレバーを設けた種々のインターロック装置が開発されてきた。このためカードロックレバーを有するロック機構やカード排出機構について種々の構造が提案されてきている。
【０００３】
図１７に概略図で例示する従来のＩＣカードリーダライタ３００は、ハウジング１０１と、ＩＣカード１０２を受け入れＩＣカード１０２の下側に配置された複数の電極１１８をハウジング１０１の対応するコンタクト１０４にランディングさせるための即ち下降、接触させるためのスライドプレート１０３と、挿入されたＩＣカード１０２の抜けを防止すると共にスライドプレート１０３をハウジング１０１にロックさせるためのためのロック機構１０５、１０６、１１７を有する。
【０００４】
スライドプレート１０３のハウジング１０１に対するロックは、ロックレバー１０５のロックフック部１１９によりＩＣカード１０２をハウジング１０１に対しロックすることにより行われる。ロック機構は、ロックレバー１０５、、ロックレバー１０５の回転を制御するスライドレバー１０６、そしてスライドレバー制御機構１１７により構成されている。
【０００５】
ここで、スライドプレート１０３は、ハウジング１０１の側壁１０９とスライドプレート１０３の側部１０７間に設けられたスプリング１１４によって常時スライドプレート１０３をハウジング１０１から排出させる方向に付勢されている。ＩＣカード１０２が挿入されると、スライドプレート１０３は挿入されたＩＣカード１０２の先端部１１５に押される。このためＩＣカード１０２と共にスプリング１１４の付勢に抗して、ハウジング１０１の側壁１０９の内側に設けられた案内溝１１３に従って、前方（Ｆ方向）にそして垂直下方に移動させ、電極１１８をハウジング１０１のコンタクト１０４にランディングさせる。上記ＩＣカード１０２の電極１１８のハウジング１０１のコンタクト１０４へのランディングは、スライドプレート１０３の側部１０７に設けられたガイドピン１０８を、ハウジング１０１の側壁１０９に設けられたガイド溝１１０内を始点１１１から終点１１２まで移動させることにより行なわれる。
【０００６】
ＩＣカード１０２の抜け防止は、ハウジング１０１に設けられたロックレバー１０５によって行われる。常時引っ張りスプリング１１６により右回りに付勢されているロックレバー１０５をスライドレバー１０６により左回り（Ａ）に回転させ、ロックフック部１１９によりＩＣカード１０２の後端部（図示せず）固定することにより行なわれる。ＩＣカード１０２をロックすることにより、スライドプレート１０３もロックされる。ＩＣカード１０２を取り出す場合には、スライドプレート１０３を右回りに回転させることにより、スライドレバー１０６を右回りに回転させてロックを解除することにより行われる。ロックレバー１０５の回転の制御はスライドレバー制御機構１１７により行なわれる。
【０００７】
スライドレバー制御機構１１７としては例えば図１８に示すような永久磁石付きソレノイド１３０が使用される。ＩＣカード１０２がハウジング１０１内に完全に挿入されると，ハウジング１０１に設置された検出スイッチ（図示せず）がＯＮになり永久磁石付きソレノイド１３０に所定の大きさの電流が流れるようになる。永久磁石付きソレノイド１３０のプランジャー１３１は、常時引っ張りスプリング１３４により左方Ｂに付勢されているが、ＩＣカード挿入前はこの付勢に抗して永久磁石１３２によって右方向に吸引されている。
【０００８】
上記所定の電流によってソレノイド１３３の磁界が永久磁石１３２の磁界を打ち消すと、永久磁石１３２の力が低減されプランジャー１３１の移動は自由になる。このためスプリング１３４の付勢により図１８において左方（矢印Ｂ）に移動する。プランジャー１３１が移動すると、プランジャー１３１にリンクしたレバー１２１が右方向に移動し、スライドレバー１０６およびロックレバー１０５を左回りに回転させ、ＩＣカード１０２をロックさせることができる。ロックを解除する場合には、適切な機構を用いて上記検出スイッチをオフ状態にすればよい。
【０００９】
上記従来例では、ロックレバー１０５はＩＣカード１０２のみをロックする、スライドプレート１０３はＩＣカード１０２をロックすることによりロックされる。このためスライドプレート１０３のロックは十分ではない。スライドプレート１０３を独自にロックするためには、さらに別のロック機構を設ける必要があり、機構がより複雑になっていた。
【特許文献１】特許第３２０４６４６号
【発明の開示】
【発明が解決しようとする課題】
【００１０】
従来のＩＣカードリーダライタにおいては、ＩＣカードの抜け防止ロック機構を備え、かつカード排出およびカードランディングのためのスライドプレートをロックさせるためには、スライドプレートとロックレバー以外に最低もう一つの部品を設ける必要があった。
【００１１】
本発明は部品点数を削減させて、ＩＣカードリーダライタをシンプルにさせるために、カード抜け止めロック機構とカード排出、およびカードランディングのための機構を最小部品数で構成させることを目的とするものである。
【課題を解決するための手段】
【００１２】
本発明においては、カードの抜け防止ロック機構とカード排出およびカードランディングのためのスライドプレートをロックさせるためには、スライドプレートとロックレバーの二つの部品で機能させる。また、ボタンイジェクトによる手動排出の他に、ソレノイド等による自動排出も可能である。またカード導入時にコンタクトをこすること無く接触させる、ランディング機構（下降、接触機構）も採用することができ挿抜寿命も十分である。
【００１３】
本発明の実施の形態に記載のＩＣカードリーダライタは、底部および側壁を有するハウジングと、前記ハウジングの底部と並行して配置され、前記ハウジングに挿入されたＩＣカードの端部によって押されて前記ＩＣカードの下降、接触位置まで前記ハウジング内をスライドして移動するスライドプレートと、前記ハウジングに回転可能に取り付けられたロックレバーと、前記挿入されたＩＣカードを排出する際に使用されるイジェクト部材とを有するＩＣカードリーダライタであって、
前記ロックレバーは、前記下降、接触位置において、前記スライドプレートをロックする第１のロック部分と、前記挿入されたＩＣカードをロックする第２のロック部分と、
前記スライドプレートをカード排出方向に付勢させるスプリング部材と、
前記ロックレバーを回転方向に付勢させるスプリング部材又はイジェクト部材とロックレバーを係合させることにより共用可能となるイジェクト部材のスプリング部材を有し、
前記挿入されたＩＣカードを排出する際には、前記イジェクト部材により前記ロックレバーを回転させることにより、第１のロック部分および第２のロック部分の各ロックを解除するＩＣカードリーダライタである。
【００１４】
また、前記ロックレバーは前記挿入されたＩＣカードを排出する際に前記イジェクト部材により付勢されるロック解除部分を有するＩＣカードリーダライタである。
【００１５】
また、前記第１のロック部分は、前記スライドプレートが移動する過程においては、前記スライドプレートの側部に配置されたロックレバー回転止め部を形成するフランジによってその回転が阻止されているＩＣカードリーダライタである。
【００１６】
また、前記第１のロック部分は、段差部分を形成する切込み部を有し、ロック時においては前記フランジの終端部が前記段差部分と当接することにより、前記スライドプレートの排出方向への移動が阻止されるＩＣカードリーダライタである。
【００１７】
また、前記第２のロック部分は、前記ロックレバーの端部に形成され、挿入されたＩＣカードの排出を阻止するカードロックフック部を有するＩＣカードリーダライタである。
【００１８】
また、前記イジェクト部材は駆動力を提供するソレノイドを有するＩＣカードリーダライタである。
【００１９】
さらに、前記ソレノイドはパルス電流により駆動されるＩＣカードリーダライタである。
【００２０】
また、前記ハウジングの側壁には上下２段の段差部を有するカム部が形成されており、前記スライドプレートの側部に形成されたフックは、前記ＩＣカードが挿入されると最初前記カム部の上方段差部に沿って移動し、次に下方段部に沿って移動するＩＣカードリーダライタである。
【発明の効果】
【００２１】
本発明によれば、カード挿入時にカードと共にスライドプレートが移動し、所定の位置まで挿入されると、ロックレバーが回転しスライドプレートをロックすると共にロックレバー先端に設けたカードロックフック部が回転する。このため、カードが振動等で抜けるのを防止できる。スライドプレートの移動工程中は、スライドプレートに設けたロックレバー回転止め部により、ロックレバーの回転を抑制しているため、カードロックフック部は未ロック状態になっており、カードが容易に挿入できる。
【発明を実施するための最良の形態】
【００２２】
図１および図２に本発明に係るＩＣカードリーダライタの第１の実施の形態に係る斜視図を示す。図１はＩＣカード１１の挿入前のＩＣカードリーダライタ１０の斜視図である。ＩＣカード１１はＦ方向に挿入される。図２はＩＣカード１１がＩＣカードリーダライタ１０に挿入された状態を示す。
【００２３】
ＩＣカードリーダライタ１０は、ベースモールド部材として例えばプラスティックモールド基体からなる底部２０および側壁２１を有するハウジング１２、例えば金属薄板から形成されるスライドプレート１３を有する。側壁２１は三方に形成され、残りの一方(後部)に開口部１６が形成される。ＩＣカード１１は、スライドプレート後部１４とハウジング後部１５の間に形成された開口部１６を通ってＩＣカードリーダライタ１０に挿入される。
【００２４】
挿入されたＩＣカード１１はその先端部１７によりスライドプレート１３をＦ方向に押しながら移動し、スライドプレート１３をＦ方向に図２に示す接触位置に移動させる。挿入されたＩＣカード１１は、図１および図２にその一部が示されているロックレバー１８によってＩＣカードリーダライタ１０内に固定される。
【００２５】
ＩＣカード１１の排出時には、イジェクトボタン１９を用いてロックレバー１８によるＩＣカード１１のロックを解除し、ＩＣカード１１の取り外しを可能にする。
【００２６】
図３に図１および２に示すＩＣカードリーダライタ１０構成部品の展開図を示す。この第１の実施の形態におけるＩＣカードリーダライタ１０は、コンタクト保持部２５に装着されＩＣカードの電気接続部と接続させる複数のコンタクト２６と、検出スイッチ保持部２７に配置されカードの挿入を検出させる検出スイッチ２８を含むベースモールド１２を有する。
【００２７】
ベースモールド１２に設けた回転軸３０に、回転穴３１を有するロックレバー１８が回転可能な状態で挿入されている。ロックレバー１８にはスプリング止め穴３３に引張りスプリングであるリターンスプリング３４の一方の端部３６が係止される。又モールドベース１２のフック部３５に上記リターンスプリング３４の他方の端部３７が係止される。これによりロックレバー１８は、ロックレバーの端部に形成されたカードロックフック部３８が常にカードをロックする方向に回転力が付勢されている。尚本案ではロックレバー１８の回転力の付勢にリターンスプリング３４を追加したが、後記に示す第３の実施の形態では図１４に示すようにロックレバー１８の溝部１４と、イジェクトボタン１９に設けたピン１４９が係合しているため、イジェクトボタン１９内部に設けたボタンリターンスプリング１５１によりイジェクトボタン１９に付勢された前方への付勢力がロックレバー１８の回転力として付勢されるため、本リターンスプリング３４は不必要とすることも可能である。
【００２８】
ベースモールド１２には、カード排出及びカードランディングのためのスライドプレート１３が組み込まれている。スライドプレート１３の側部には前後にそれぞれフック４０、４１が設けられる。フック４０は、ＩＣカード１１と共にスライドプレート１３が移動する際、ベースモールド１２に設けた接続コンタクト２６にＩＣカード１１の電気接続部を接触させるため、カム部４２によってスライドプレート１３をコンタクト２６側に移動させるためのものである。
【００２９】
又、スライドプレート１３は、引張り力を持つ一対のイジェクトスプリング４３、４４によって、ベースモールド１２に対して常にカード排出方向に付勢させられている。
【００３０】
ＩＣカード１１を排出させるためには、ロックされたスライドプレート１３とロックレバー１８の端部に設けられたカードロックフック部３８を解除させるために、ロックレバー１８を回転させる必要がある。そのためのイジェクトボタン１９がベースモールド１２に組み込まれている。尚、イジェクトボタン１９にはベースモールド１２に対して常に後方Ｒに位置させるための圧縮スプリングからなるボタンリターンスプリング４６が組み込まれている。
【００３１】
図４にカード挿入前（ａ）と移動中（ｂ）のスライドプレート１３とロックレバー１８のロック関係図を示す。
【００３２】
以下この第１の実施の形態のＩＣカードリーダライタの動作概要について説明する。図５はＩＣカード１１がＩＣカードリーダライタ１０内に挿入され、スライドプレート１３が移動を開始する直前の状態を示す。（５−ａ）はこの状態における平面図であり、（５−ｄ）、（５−ｅ）は立面図である。（５−ｂ）は（５−ａ）におけるラインＧ−Ｇの断面図であり、（５−ｃ）は（５−ａ）のラインＡ−Ａの断面図である。
【００３３】
図５に示すＩＣカードリーダライタ１０のベースモールド１２の挿入スロット部５１からＩＣカード１１を挿入すると、スライドプレート１３に導かれる。さらにＩＣカード１１の先端部１７がスライドプレート１３の終端部に設けたＩＣカード１１の移動を阻止するカード押し部５３に達すると（図５の状態）、スライドプレート１３はイジェクトスプリング４３、４４の引張り力に対抗してＩＣカード１１と共に前方（Ｆ方向）に移動する。
【００３４】
スライドプレート１３が移動する際、スライドプレート１３の前方側部に設けたフック４０がベースモールド１２の側壁に設けた段差を有するカム部４２の上部面に添ってスライドする。終端直前においてフック４０は上方段差部５６から下方段差部５４に移る。このためスライドプレート１３を下方向に移動させる。それによってＩＣカード１１の電気接触部（図示せず）を下降させ、ベースモールド１２のコンタクト保持部２５に挿入されたコンタクト２６に接触させる。即ちランディングさせる。
【００３５】
図６はＩＣカードリーダライタ１０内に挿入されたＩＣカード１１の移動が終了した状態を示す。（６−ａ）はこの状態における平面図であり、（６−ｄ）、（６−ｅ）は立面図である。（６−ｂ）は（６−ａ）におけるラインＧ−Ｇの断面図であり、（６−ｃ）は（６−ａ）のラインＡ−Ａの断面図である。
【００３６】
図７および図８はカム部４２の状態を拡大して示したものである。図７は図５に対応し、電気接触が行われる前の状態を示す。図８は図６に対応し、ＩＣカード１１をコンタクト２６上にランディングさせ電気接触をさせた状態を示す。
【００３７】
スライドプレート１３に設けた後方のフック４１はベースモールド１２に設けられたスリット部５５内を水平に移動するのみである。
【００３８】
図９は、図４（ａ）と同様、スライドプレート１３が移動中である状態におけるロック部分の組立て関係を示す図である。なお図９はＩＣカードリーダライタを下方から見た場合の位置関係を示す図である。スライドプレート１３の移動中は、スライドプレート１３の側部に設けられたロックレバー回転止め部を形成するフランジ６１の内側側面６３を、ロックレバー１８のロック部６０の側部６４が接触しながら移動する。このため、ロックレバー１８の回転を制限しており、ロックレバー１８は回転できない。ロックレバー１８の先端部のカードロックフック部３８は回転できないため、ＩＣカード１１の挿入を可能にしている。
【００３９】
図１０は、図４（ｂ）と同様、ロック部分におけるスライドプレート１３とロックレバー１８の配置関係を示す。なお図１０は図９と同様ＩＣカードリーダライタを下方から見た場合の位置関係を示す図である。図１０に示すように、スライドプレート１３が所定の位置、即ちスライドプレート１３の移動停止位置であり且つコンタクトの電気接触位置に達すると、ロックレバー１８はリターンスプリング３４の付勢力により左回りに回転する。ロックレバー１８のロック部６０はスライドプレート１３の後方への移動を阻止するようにスライドプレート１３をロックする。
【００４０】
即ち、ロック部６０の切り込み部６５により、スライドプレート１３の側部に設けたロックレバー回転止め部を形成するフランジ６１の終端部６２をロックし、スライドプレート１３の後方Ｒへ移動を阻止する。この状態でスライドプレート１３はロックされる。さらに、ロックレバー１８のが左回りの回転により、ロックレバー１８の先端部のカードロックフック部３８がＩＣカード１１の後端部に移動し、ＩＣカード１１の抜け止め防止のために作用する。
【００４１】
図１１および図１２により、ロックレバーのロック部６０とスライドプレート１３のロックレバー回転止め部を形成するフランジ６１との位置関係を説明する。なお、ロックレバー１８は回転軸３０を中心に回転可能な状態でベースモールド１２の底部に取り付けらている。またロックレバー１８はスプリング止め穴３３に取り付けられたリターンスプリング３４によって常時右回りの力が付勢されている。
【００４２】
図１１はスライドプレート１３が移動過程にある場合である。移動過程においては、スライドプレート１３の側部からスライドプレートの底部面６６に対し直角方向に延在するロックレバー回転止め部を形成するフランジ６１の側面６７よって回転が制限される。このためロックレバー１８の先端に設けられたロック部６０はロックレバー回転止め部を形成するフランジ６１の内面に沿って移動する。
【００４３】
図１２は移動が完了した状態を示す。ロックレバー１８のロック部６０の側部６４には切り込み部６５が設けられ段差が形成されている。このため移動完了位置では段差分だけロックレバー１８が回転し、カードロックフック部３８がＩＣカード１１の排出を阻止できる位置に移動する。また、切込み部６５の段差部がロックレバー回転止め部を形成するフランジ６１の終端部６２に当り、スライドプレート１３の後方（Ｒ方向）への排出を阻止する。
【００４４】
ＩＣカード１１をＩＣカードリーダライタ１０から排出する場合は、イジェクト部材７０のイジェクトボタン１９を前方に押す。イジェクトボタン１９を押すことにより、イジェクト部材７０のプッシュ部７１がロックレバー１８のプッシュ部受け部７３を押す。このため、ロックレバー１８はリターンスプリング３４の付勢力と反対方向、例えば図１２においては左回りで回転する。この回転により、スライドプレート１３のロックレバー回転止め終端部を形成するフランジ６１とロックレバーのロック部６０とのロックが解除され、またカードロックフック部３８はＩＣカード１１に対するロック位置（図１２の位置）からＩＣカード１１が移動可能な位置（図１１の位置）に戻る。スライドプレート１３はイジェクトスプリング４３、４４によって後方に移動し、ＩＣカード１１はスライドプレート１３と共に後方に移動し取り出し可能となる。
【００４５】
本発明は上記手動によるイジェクト機構の使用に限定されるものではない。その他、例えば駆動力生成のために磁力を利用し、磁界発生のためにソレノイドを使用する自動排出機構の採用も可能である。図１３に手動のイジェクト部材７０の代わりにソレノイド８０を使用する第２の実施の形態に係るＩＣカードリーダライタ１００を示す。なお図１３は部品展開図の形式で示されている。ソレノイド部分８０、８１、８２以外は上で説明した実施の形態に準ずる。
【００４６】
図１３に示すソレノイド使用の装置においては、ベースモールド１２に配置されたソレノイド８０に例えばパルス電流を印加することにより磁力を発生させてプランジャー８２を駆動する。軸方向に移動可能なプランジャー８２はスプリングピン８１によってロック解除部７２の溝部７４と係合している。
【００４７】
パルス電流の印加により発生した磁界により、プランジャー８２を軸方向に移動させ、ロックレバー１８を回転させることにより（図１３においては左回り）ＩＣカード１１およびスライドプレート１３に対するロックレバー１８によるロックを解除する。
【００４８】
図１４〜図１６に第３実施の形態に係るＩＣカードリーダライタ２００を示す。図１４〜図１６において、第１の実施の形態と同様の構成要素は同一の符号で示す。第３実施の形態のＩＣカードリーダライタの基本的な構成および動作方法は第１の実施の形態と同様である。第１の実施の形態とは例えばロックレバー、、イジェクトボタン、電気接触のためのコンタクト部等の構造が異なる。
【００４９】
第３実施の形態においても、ＩＣカード挿入時にＩＣカードと共にスライドプレートが移動し、ＩＣカードが所定のコンタクト接触位置まで挿入されコンタクトが下降して接触状態になると、ロックレバーが回転しスライドプレートをロックする。同時に、ロックレバーの先端のカードロックフック部がＩＣカードの端部を係止する位置まで回転する。
【００５０】
ＩＣカードリーダライタ２００は、底部２０および一対の側壁２１を有するベースモールド１２および挿入されたＩＣカードと共にベースモールド１２内を水平にスライドして移動するスライドプレート１３を有する。ＩＣカードはスライドプレートとベースモールドの間に形成された開口部１５２を通ってＩＣカードリーダライタ２００に挿入される。
【００５１】
挿入されたＩＣカード１１はその先端部１４５によりスライドプレート１３のカード押し部５３を押しながら移動し、スライドプレート１３を図１５（ｄ）〜（ｆ）および図１６（ｃ）、（ｄ）に示すコンタクト接触位置に移動させる。挿入されたＩＣカード１１は、ロックレバー１８のカードロックフック部に３８によってＩＣカードリーダライタ２００内に固定される。このようにしてコンタクトの接触時にＩＣカードがＩＣカードリーダライタ２００から抜けるのを防止する。ＩＣカード１１の排出時には、イジェクトボタン１９を用いてロックレバー１８によるＩＣカード１１のロックを解除し、ＩＣカード１１の取り外しを可能にする。
【００５２】
図１４に第３実施の形態の構成部品の展開図を示す。ＩＣカードリーダライタは２００は第１の実施の形態と同様ベースモールド１２を有する。ベースモールド１２には、カード排出及びカードランディングのためのスライドプレート１３が組み込まれる。スライドプレート１３の側部には前後にそれぞれ一対のフック４０、４１が設けられている。フック４０，４１は、ＩＣカード１１と共にスライドプレート１３が移動する際、ベースモールド１２に配置されたコンタクト１４１にＩＣカード１１の電気接続部を接触させるため、カム部４２によってスライドプレート１３をコンタクト２６側に降下するよう移動させる。
【００５３】
引張り力を持つイジェクトスプリング１４８がスライドプレート１３をベースモールド１２に対して常にカード排出方向に付勢するよう取付られる。
【００５４】
ベースモールド１２は、更に挿入されたＩＣカードの底部に配置された電気接続部（図示せず）と接触するための、弾性を有する金属部材により形成された複数のコンタクト１４１を有する。コンタクト１４１はそれぞれベースモールド１２に設けられた複数の溝部１４０に直接装着される。ベースモールド１２はさらにベースモールド１２に設けられた２つの穴部１４２に直接装着された弾性を有する２つの金属スイッチ部材１４３、１４４を有する。一方の金属スイッチ部材１４４は、ＩＣカード１１がコンタクト接触位置まで挿入されると、挿入されたスライドプレートの先端部に押されて移動し、他方の金属スイッチ部材１４３に接触するよう配置されている。このように金属スイッチ部材１４３および１４４が導通することにより、ＩＣカードが挿入されたことを検知することができる。
【００５５】
ベースモールド１２にはさらに、挿入されたＩＣカードをロックするロックレバー１８が取り付けられる。ロックレバー１８は回転穴３１を有し、ベースモールド１２に設けられた回転軸１５０（図１５参照）に回転可能な状態で取り付けられる。ロックレバー１８にはこのロックレバー１８をイジェクトボタンに配置されたピン１４９によって回転させるための横方向レバー１４６が設けられている。横方向レバー１４６にはイジェクトボタン１９に設けれれたピン１４９と係合し、その回転を制御するための溝部１４７が形成されている。
【００５６】
イジェクトボタン１９はベースモールド１２の側部に配置される。イジェクトボタン１９にはボタンリターンスプリング１５１が設けられており、イジェクトボタン１９を常時図１５における右方向Ｌ（図１５（ａ）または（ｄ）参照）に付勢する。尚、本ボタンリターンスプリング１５１はイジェクトボタン１９の付勢と同時にイジェクトボタン１９に設けたピン１４９に係合されたロックレバー１８の横方向レバー１４６によりロックレバー１８の回転付勢力としても作用させ、共用させている。
【００５７】
図１５（ａ）〜（ｃ）はＩＣカード１１がＩＣカードリーダライタ２００内に挿入された状態を示す。図１５（ａ）は下側から見た底面図であり、図１５（ｂ）は、図１５（ａ）のラインＢ−Ｂの断面図であり、図１５（ｃ）はラインＥ−Ｅの断面図である。  図１５（ｄ）〜（ｆ）はＩＣカードリーダライタ１０内に挿入されたＩＣカード１１の移動が終了した状態を示す。図１５（ｄ）は下側から見た底図であり、図１５（ｅ）は、図１５（ｄ）のラインＢ−Ｂの断面図であり、図１５（ｆ）はラインＥ−Ｅの断面図である。
【００５８】
図１６（ａ）および（ｂ）はＩＣカード１１が挿入される前の状態を示す斜視図である。図１６（ａ）は上方斜めから見た斜視図であり、図１６（ｃ）は下側から見た斜視図である。図１６（ｃ）および（ｄ）はＩＣカード１１が挿入され、コンタクトの接触が行われロックされた後の状態を示す斜視図である。図１６（ｃ）は上方斜めから見た斜視図であり、図１６（ｄ）は下側から見た斜視図である。
【００５９】
図１５（ａ）において、スライドプレートの側部に形成されたフック１４３は未ロックの状態にある。またカードロックフック部３８もＩＣカード１１に対し未ロック状態にある。ＩＣカード１１を挿入し、ＩＣカード１１の先端部１４５がスライドプレート１３の終端部に設けたＩＣカード１１の移動を阻止するカード押し部５３に達すると、スライドプレート１３はイジェクトスプリング１４８の引張り力に抗してＩＣカード１１と共に前方（図１６（ａ）、（ｃ）のＦ方向）に移動する。
【００６０】
スライドプレート１３が移動する際、スライドプレート１３の前方側部に設けたフック４０がベースモールド１２の側壁に設けた段差を有するカム部４２の上部面に添ってスライドする。終端直前においてフック４０は上方段差部５６から下方段差部５４に移る。このためスライドプレート１３を下方向に移動させる。それによってＩＣカード１１の電気接触部（図示せず）を下降させ、ベースモールド１２のコンタクト保持部２５に挿入されたコンタクト２６に接触させる。また図１５（ｄ）に示すようにロックレバー１８が左回転し、図１６（ｄ）に示すようにロックレバー１８のロック部６０がスライドプレートのフック１５３をロックし、カードロックフック部３８がＩＣカード１１の後端部１５４をロックする。
【００６１】
第３実施の形態においてもＩＣカード１１をＩＣカードリーダライタから排出させるには、ロックされたスライドプレート１３とロックレバー１８の端部に設けられたカードロックフック部３８を解除させる。このためにロックレバー１８を右方向に回転させる。回転はボタンリターンスプリング１５１に抗してイジェクトボタン１９を（図１５において右方向に）押すことにより行われる。
【図面の簡単な説明】
【００６２】
【図１】本発明に係る第１の実施の形態のＩＣカードリーダライタ１０の斜視図である。ＩＣカード１１の挿入前の状態を示す。
【図２】本発明に係る第１の実施の形態のＩＣカードリーダライタ１０の斜視図である。ＩＣカード１１が挿入された後の状態を示す。
【図３】図１および２に示すＩＣカードリーダライタ１０構成部品の展開図を示す。
【図４】スライドプレート１３が移動中(ａ)および移動終了した後（ｂ）における、スライドプレート１３とロックレバー１８のロック関係を示す。
【図５】ＩＣカード１１がＩＣカードリーダライタ１０内に挿入され、スライドプレート１３が移動を開始する直前の状態を示す。
【図６】ＩＣカードリーダライタ１０内に挿入されたＩＣカード１１の移動が終了した状態を示す。
【図７】図５のカム部４２を拡大して示す図である。
【図８】図６のカム部４２を拡大して示す図である。
【図９】ロック解除時におけるロック部分におけるスライドプレート１３とロックレバー１８の配置関係を示す図である。
【図１０】ロック時におけロック部分におけるスライドプレート１３とロックレバー１８の配置関係を示す図である。
【図１１】ロック解除時におけるロック部分におけるスライドプレート１３とロックレバー１８の配置関係を示す図である。
【図１２】ロック時におけロック部分におけるスライドプレート１３とロックレバー１８の配置関係を示す図である。
【図１３】本発明に係る第２の実施の形態のＩＣカードリーダライタ１００を示す図である。
【図１４】本発明に係る第３の実施の形態のＩＣカードリーダライタ２００の構成部品の展開図を示す。
【図１５】第３の実施の形態に係るＩＣカードリーダライタ２００のカードロックメカニズムを示す面であり、ＩＣカードが挿入途中の状態（a）、（ｂ）、（ｃ）および挿入完了の状態（ｄ）、（ｅ）、（ｆ）を示す。
【図１６】第３の実施の形態に係るＩＣカードリーダライタ２００のカードロックメカニズムを示す面であり、ＩＣカード挿入前の状態（a）、（ｂ）および挿入完了の状態（ｃ）、（ｄ）を示す。
【図１７】従来のＩＣカードリーダライタを示す図である。
【図１８】図１７のスライドレバー制御機構として使用可能な具体的事例を示す図である。
【符号の説明】
【００６３】
１０…ＩＣカードリーダライタ、  １１…ＩＣカード、  １２…ベースモールド（ハウジング）、  １３…スライドプレート、  １４…スライドプレート後部、  １５…ハウジング後部、  １６…開口部、  １７…ＩＣカード先端部、  １８…ロックレバー、  １９…イジェクトボタン、  ２０…底部、  ２１…側壁、  ２５…コンタクト保持部、  ２６…コンタクト、  ２７…検出スイッチ保持部、  ２８…検出スイッチ、  ３０…回転軸、  ３１…回転穴、  ３３…スプリング止め穴、  ３４…リターンスプリング、  ３５…フック部、  ３６…スプリング端部、  ３７…スプリング端部、  ３８…カードロックフック部、  ４０…フック、  ４１…フック、  ４２…カム部、  ４３…イジェクトスプリング、  ４４…イジェクトスプリング、  ４６…リターンスプリング、  ５１…挿入スロット部、  ５３…カード押し部、  ５４…下方段差部、  ５５…スリット部、  ５６…上方段差部、  ６０…ロック部、  ６１…フランジ（ロックレバー回転止め部）、  ６２…終端部、  ６３…内側側面、  ６４…ロック部側部、  ６５…切込み部、  ６６…底部面、  ６７…側面、  ７０…イジェクト部材、  ７１…プッシュ部、  ７２…ロック解除部、  ７３…受け部、  ７４…溝部、  ８０…ソレノイド、  ８１…スプリングピン、  ８２…プランジャー、  １００…ＩＣカードリーダライタ、  １０１…ハウジング、  １０２…ＩＣカード、  １０３…スライドプレート、  １０４…コンタクト、  １０５．１０６…ロック機構、  １０５…ロックレバー、  １０６…スライドレバー、  １０７…側部、  １０８…ガイドピン、  １０９…側壁、  １１０…ガイド溝、  １１１…始点、  １１２…終点、  １１３…案内溝、  １１４…スプリング、  １１５…先端部、  １１６…張りスプリング、  １１７…スライドバー制御機構、  １１８…電極、  １１９…ロックフック部、  １２１…レバー、  １３０…永久磁石付きソレノイド、  １３１…プランジャー、  １３２…永久磁石、  １３３…ソレノイド、１３４…張りスプリング、  １３４…スプリング、  １４０…溝部、  １４１…コンタクト、  １４２…穴部、  １４３，１４４…金属スイッチ部材、  １４５…ＩＣカード先端部、１４６…横方向レバー、  １４７…溝部、  １４８…イジェクトスプリング、  １４９…ピン、  １５０…回転軸、  １５１…ボタンリターンスプリング、  １５２…開口部、  １５３…スライドプレートフック、  １５４…後端部、  ２００…ＩＣカードリーダライタ、  ３００…ＩＣカードリーダライタ
【図１】
2007065986.tif 000003
【図２】
2007065986.tif 000004
【図３】
2007065986.tif 000005
【図４】
2007065986.tif 000006
【図５】
2007065986.tif 000007
【図６】
2007065986.tif 000008
【図７】
2007065986.tif 000009
【図８】
2007065986.tif 000010
【図９】
2007065986.tif 000011
【図１０】
2007065986.tif 000012
【図１１】
2007065986.tif 000013
【図１２】
2007065986.tif 000014
【図１３】
2007065986.tif 000015
【図１４】
2007065986.tif 000016
【図１５】
2007065986.tif 000017
【図１６】
2007065986.tif 000018
【図１７】
2007065986.tif 000019
【図１８】
2007065986.tif 000020